(57)【要約】【課題】  自動車の衝突時に、被衝突物体が車体に対し二次衝突するとき、この車体から被衝突物体に与えられる衝撃力がより確実に緩和されるようにする。【解決手段】  自動車１の車体２が、車体本体４の前部をその上方から覆うフード５と、このフード５の前部側が上方に向かって往、復回動Ａ，Ｂ可能となるようこのフード５の後端部を車体本体４に枢支させる枢支手段６と、車体２の前部に対しその前方から与えられる衝撃力に基づき、フード５の後部を車体本体４に対し上方移動させるよう付勢する付勢手段９とを備える。車体２の側面視で、フード５の後縁部２０を通りこのフード５の後部上面にほぼ直交する仮想線３５を設定したとき、付勢手段９により上昇するフード５の後縁部２０が仮想線３５よりも後側に位置するようにする。【選択図】    図１
2005162069.tif 000002
【特許請求の範囲】
【請求項１】
車体が、車体本体の前部をその上方から覆うフードと、このフードの前部側が上方に向かって往、復回動可能となるようこのフードの後端部を上記車体本体に枢支させる枢支手段と、上記車体の前部に対しその前方から与えられる衝撃力に基づき、上記フードの後部を上記車体本体に対し上方移動させるよう付勢する付勢手段とを備えた自動車において、
車体の側面視で、上記フードの後縁部を通りこのフードの後部上面にほぼ直交する仮想線を設定したとき、上記付勢手段により上昇する上記フードの後縁部が上記仮想線よりも後側に位置するようにしたことを特徴とする自動車におけるフード装置。
【請求項２】
前後方向に延びその前部側が後上方に向かって回動可能となるよう後端部が上記車体本体側に枢支され前端部が上記フードの後部に枢支される回動アームを設け、上記フードの後部が上方移動するとき、このフードの後部と上記回動アームとが連動してこの回動アームの後上方への回動に伴い上記フードの後縁部が上記仮想線の後側に向かうようにしたことを特徴とする請求項１に記載の自動車におけるフード装置。
【請求項３】
車体の側面視で、上記仮想線に対し傾斜する傾斜方向に沿い後上方に向かって移動可能となるよう上記車体本体側に支持される可動体を設け、この可動体に上記フードの後部を連結し、このフードの後部が上方移動するとき、このフードの後部と上記可動体とが連動してこの可動体の上記後上方への移動に伴い上記フードの後縁部が上記仮想線の後側に向かうようにしたことを特徴とする請求項１に記載の自動車におけるフード装置。
【請求項４】
上記フードの往回動を阻止するようこのフードの前端部を上記車体本体に解除可能にロックするロック手段を備えた自動車において、
上記ロック手段が、上記ロック状態を保持したままで、上記フードの後方移動を許容するようにしたことを特徴とする請求項１から３のうちいずれか１つに記載の自動車におけるフード装置。
【発明の詳細な説明】
【技術分野】
【０００１】
本発明は、自動車の被衝突物体に対する衝突時に、この自動車のフードの後部上面に上記被衝突物体が二次衝突するとき、この被衝突物体に対しフードから与えられようとする衝撃力を緩和させるようにした自動車におけるフード装置に関するものである。
【背景技術】
【０００２】
上記自動車におけるフード装置には、従来、下記特許文献１で示されるものがある。この公報のものによれば、自動車の車体は、車体本体と、この車体本体の前部をその上方から覆うフードと、このフードの前部側が上方に向かって往、復回動可能となるようこのフードの後端部を上記車体本体に枢支させる枢支手段と、上記車体の前部に対しその前方から与えられる衝撃力に基づき、上記フードの後部を上記車体本体に対し上方に移動させるよう付勢する付勢手段とを備えている。
【０００３】
上記車体本体の後部の内部が車室とされ、この車室の前面はフロントウィンドガラスで覆われている。また、上記車体本体の前部には上方に向かって開口するエンジンルームが形成され、このエンジンルームの上端開口が上記フードにより開閉可能に閉じられている。また、一般に、上記車体本体の前後方向の中途部は、この車体本体の上部を構成し、車体の幅方向に延びて大きい強度と剛性とを有するフロントカウルと、このフロントカウルから下方に延出するダッシュパネルとを備え、これらフロントカウルとダッシュパネルとは上記エンジンルームと車室とを前後に仕切っている。この場合、フロントカウルの上面側に上記フロントウィンドガラスの前下縁部が結合されて支持されており、このフロントウィンドガラスの前下縁部と上記フロントカウルとは、上記フードの後縁部の後側に隣接している。
【０００４】
そして、自動車が被衝突物体に対しその走行中に衝突したときには、上記衝撃力に基づき上記付勢手段が作動して、上記フードの後部を瞬間的に上方に移動させ、このフードの後部が上記車体本体から上方に離間させられるようになっている。このため、上記衝突後に被衝突物体が、上記フードの後部上面に二次衝突して、上記フードの後部が下方に向かって塑性変形するときには、この塑性変形によりフードの後部が上記車体本体に達するまでの寸法が大きくなって、上記塑性変形の変形量が多くなり、これにより、二次衝突時に、被衝突物体に与えられる衝撃力が、より効果的に緩和されるようになっている。
【０００５】
【特許文献１】特開平１１−２６３１９１号公報
【発明の開示】
【発明が解決しようとする課題】
【０００６】
ところで、上記したように、フロントカウルの上面側に上記フロントウィンドガラスの前下縁部が結合されて支持されており、このフロントウィンドガラスの前下縁部と上記フロントカウルとは、上記フードの後縁部の後側に隣接している。
【０００７】
このため、上記従来の技術のように、自動車の衝突時に上記フードの後部を上方移動させたとしても、上記した剛性の大きいフロントウィンドガラスの前下縁部やフロントカウルは、上方に向かって露出されたままに維持されており、このため、被衝突物体は上記フロントウィンドガラスの前下縁部やフロントカウルに二次衝突するおそれがある。
【課題を解決するための手段】
【０００８】
本発明は、上記のような事情に注目してなされたもので、本発明の目的は、自動車の衝突時に、被衝突物体が車体に対し二次衝突するとき、この車体から被衝突物体に与えられる衝撃力がより確実に緩和されるようにすることである。
【０００９】
請求項１の発明は、全図に例示するように、車体２が、車体本体４の前部をその上方から覆うフード５と、このフード５の前部側が上方に向かって往、復回動Ａ，Ｂ可能となるようこのフード５の後端部を上記車体本体４に枢支させる枢支手段６と、上記車体２の前部に対しその前方から与えられる衝撃力に基づき、上記フード５の後部を上記車体本体４に対し上方移動させるよう付勢する付勢手段９とを備えた自動車において、
車体２の側面視で、上記フード５の後縁部２０を通りこのフード５の後部上面にほぼ直交する仮想線３５を設定したとき、上記付勢手段９により上昇する上記フード５の後縁部２０が上記仮想線３５よりも後側に位置するようにしたものである。
【００１０】
請求項２の発明は、図１―３に例示するように、請求項１の発明に加えて、前後方向に延びその前部側が後上方に向かって回動Ｃ可能となるよう後端部が上記車体本体４側に枢支され前端部が上記フード５の後部に枢支される回動アーム３９を設け、上記フード５の後部が上方移動するとき、このフード５の後部と上記回動アーム３９とが連動してこの回動アーム３９の後上方への回動Ｃに伴い上記フード５の後縁部２０が上記仮想線３５の後側に向かうようにしたものである。
【００１１】
請求項３の発明は、図４，５に例示するように、請求項１の発明に加えて、車体２の側面視で、上記仮想線３５に対し傾斜する傾斜方向Ｆに沿い後上方に向かって移動可能となるよう上記車体本体４側に支持される可動体５０を設け、この可動体５０に上記フード５の後部を連結し、このフード５の後部が上方移動するとき、このフード５の後部と上記可動体５０とが連動してこの可動体５０の上記後上方への移動に伴い上記フード５の後縁部２０が上記仮想線３５の後側に向かうようにしたものである。
【００１２】
請求項４の発明は、全図に例示するように、請求項１から３のうちいずれか１つの発明に加えて、上記フード５の往回動Ａを阻止するようこのフード５の前端部を上記車体本体４に解除可能にロックするロック手段７を備えた自動車において、
上記ロック手段７が、上記ロック状態を保持したままで、上記フード５の後方移動を許容するようにしたものである。
【００１３】
なお、この項において、上記各用語に付記した符号は、本発明の技術的範囲を後述の「実施例」の項の内容に限定解釈するものではない。
【発明の効果】
【００１４】
本発明による効果は、次の如くである。
【００１５】
請求項１の発明は、車体が、車体本体の前部をその上方から覆うフードと、このフードの前部側が上方に向かって往、復回動可能となるようこのフードの後端部を上記車体本体に枢支させる枢支手段と、上記車体の前部に対しその前方から与えられる衝撃力に基づき、上記フードの後部を上記車体本体に対し上方移動させるよう付勢する付勢手段とを備えた自動車において、
車体の側面視で、上記フードの後縁部を通りこのフードの後部上面にほぼ直交する仮想線を設定したとき、上記付勢手段により上昇する上記フードの後縁部が上記仮想線よりも後側に位置するようにしてある。
【００１６】
このため、自動車が被衝突物体に対しその走行中に衝突したときには、その衝撃力に基づき、上記付勢手段が作動して上記フードの後部が上方移動させられ、かつ、このフードの後縁部が上記仮想線の後側にまで後方移動させられる。
【００１７】
よって、一般に、上記フードの後縁部の後側には大きい強度と剛性とを有するフロントウィンドガラスの前下縁部やフロントカウルが配置されているが、自動車の衝突時には、上記したようにフードの後縁部が上方移動かつ後方移動して、このフードの後部が、上記フロントウィンドガラスの前下縁部とフロントカウルとの少なくとも一部をその上方から覆うこととなる。このため、自動車の衝突後に被衝突物体が、上記フロントウィンドガラスの前下縁部やフロントカウルに二次衝突しようとするときには、これに先立って、被衝突物体が上記フードの後部に衝突しがちとなり、しかも、このフードの後部が上方移動させられた分、このフードの後部が上記二次衝突の衝撃力により十分に塑性変形し、もって、車体から被衝突物体に与えられる衝撃力がより確実に緩和される。
【００１８】
請求項２の発明は、前後方向に延びその前部側が後上方に向かって回動可能となるよう後端部が上記車体本体側に枢支され前端部が上記フードの後部に枢支される回動アームを設け、上記フードの後部が上方移動するとき、このフードの後部と上記回動アームとが連動してこの回動アームの後上方への回動に伴い上記フードの後縁部が上記仮想線の後側に向かうようにしてある。
【００１９】
このため、自動車の衝突時に、上記フードの後部が上方移動するとき、上記回動アームによって上記フードの後縁部がより確実に上記仮想線の後側にまで移動させられる。
【００２０】
よって、被衝突物体が上記フロントウィンドガラスの前下縁部やフロントカウルに二次衝突しようとするときには、これに先立って更に確実に上記フードの後部に被衝突物体が衝突しがちとなり、車体から被衝突物体に与えられる衝撃力が更に確実に緩和される。
【００２１】
請求項３の発明は、車体の側面視で、上記仮想線に対し傾斜する傾斜方向に沿い後上方に向かって移動可能となるよう上記車体本体側に支持される可動体を設け、この可動体に上記フードの後部を連結し、このフードの後部が上方移動するとき、このフードの後部と上記可動体とが連動してこの可動体の上記後上方への移動に伴い上記フードの後縁部が上記仮想線の後側に向かうようにしてある。
【００２２】
このため、自動車の衝突時に、上記フードの後部が上方移動するとき、上記可動体によって上記フードの後縁部がより確実に上記仮想線の後側にまで移動させられる。
【００２３】
よって、被衝突物体が上記フロントウィンドガラスの前下縁部やフロントカウルに二次衝突しようとするときには、これに先立って更に確実に上記フードの後部に被衝突物体が衝突しがちとなり、車体から被衝突物体に与えられる衝撃力が更に確実に緩和される。
【００２４】
請求項４の発明は、上記フードの往回動を阻止するようこのフードの前端部を上記車体本体に解除可能にロックするロック手段を備えた自動車において、
上記ロック手段が、上記ロック状態を保持したままで、上記フードの後方移動を許容するようにしてある。
【００２５】
このため、上記したように自動車の衝突時に、フードの後縁部が上方移動かつ後方移動するとき、このフードの後方移動が上記ロック手段により阻害されるということが防止されて、上記フードの後方移動が迅速に達成され、このフードの後部により上記フロントウィンドガラスの前下縁部やフロントカウルが覆われる。しかも、上記したようにフードが後方移動してもロック状態は保持されるため、上記フードの前部側が無意図的に往回動するということが防止されて、上記車体本体の前部が上記フードにより覆われた状態が保持される。
【００２６】
よって、自動車の衝突後に被衝突物体が、上記フロントウィンドガラスの前下縁部やフロントカウルに二次衝突しようとするときには、これに先立って、より確実に被衝突物体が上記フードの後部に衝突しがちとなり、車体から被衝突物体に与えられる衝撃力がより確実に緩和される。
【発明を実施するための最良の形態】
【００２７】
本発明の自動車におけるフード装置に関し、自動車の衝突時に、被衝突物体が車体に対し二次衝突するとき、この車体から被衝突物体に与えられる衝撃力がより確実に緩和されるようにする、という目的を実現するため、本発明を実施するための最良の形態は、次の如くである。
【００２８】
即ち、自動車の車体は、車体本体の前部をその上方から覆うフードと、このフードの前部側が上方に向かって往、復回動可能となるようこのフードの後端部を上記車体本体に枢支させる枢支手段と、上記車体の前部に対しその前方から与えられる衝撃力に基づき、上記フードの後部を上記車体本体に対し上方移動させるよう付勢する付勢手段とを備えている。車体の側面視で、上記フードの後縁部を通りこのフードの後部上面にほぼ直交する仮想線を設定したとき、上記付勢手段により上昇する上記フードの後縁部が上記仮想線よりも後側に位置するよう、上記フードが後方移動するようにしてある。
【実施例１】
【００２９】
本発明をより詳細に説明するために、その実施例１を添付の図に従って説明する。
【００３０】
図１―３は、実施例１を示している。
【００３１】
図１―３において、符号１は自動車で、矢印Ｆｒはこの自動車１の前方を示している。
【００３２】
上記自動車１の車体２は、前、後車輪３によって路面上に支持される車体本体４と、この車体本体４の前部をその上方から覆う板金製のフード５と、このフード５の前部側が上方に向かって往、復回動Ａ，Ｂ可能となるようこのフード５の後端部を上記車体本体４に枢支させる左右一対の枢支手段６，６と、上記フード５の前端部の往回動Ａを阻止するようこのフード５の前端部を上記車体本体４の前端部に解除可能にロックするロック手段７と、上記自動車１の衝突時に、車体２の前部に対しその前方から衝撃力が与えられたとき、この衝撃力を検出する検出センサー８と、この検出センサー８の検出信号に基づき、上記フード５の後部を上記車体本体４に対し上方に移動させるよう付勢する付勢手段９とを備え、上記フード５の上面は全体的に前下がり状に傾斜している。
【００３３】
上記車体本体４の後部の内部が車室１２とされ、この車室１２の前面はフロントウィンドガラス１３で覆われている。また、上記車体本体４の前部には上方に向かって開口するエンジンルーム１４が形成され、このエンジンルーム１４の上端開口が上記フード５によりその上方から開閉可能に閉じられている。
【００３４】
上記車体本体４の前後方向の中途部は、この車体本体４の上部を構成して車体２の幅方向に延び大きい強度と剛性とを有するフロントカウル１６と、このフロントカウル１６から下方に向かって延びるダッシュパネル１７とを備え、これらフロントカウル１６とダッシュパネル１７とは上記車室１２とエンジンルーム１４とを前後に仕切っている。上記フロントカウル１６の上面には上記フロントウィンドガラス１３の前下縁部がウェザーストリップゴム１８を介し支持されている。また、上記フード５の後縁部２０の後側に上記フロントウィンドガラス１３の前下縁部とフロントカウル１６とが隣接している。
【００３５】
上記フロントカウル１６の上方で、上記フード５の後縁部２０と上記フロントウィンドガラス１３の前下縁部との間には上方に向かって開く凹溝２２が形成され、この凹溝２２に上記フロントウィンドガラス１３用のワイパー２３の基部側が収容されている。
【００３６】
上記各枢支手段６は、上記車体本体４の側部上面に突設されるロアヒンジ２６と、上記フード５の後端部の側部下面側から突設されるアッパヒンジ２７と、これらロアヒンジ２６とアッパヒンジ２７の各突出端部を車体２の幅方向に延びる軸心２８回りに互いに回動自在となるよう枢支させる枢支軸２９とを備えている。
【００３７】
上記ロック手段７は、上記車体本体４の前端部に支持された公知のロック手段本体３１と、上記フード５の前端部の下面に突設されるストライカ３２とを備えている。上記フード５の前部側を上記ロック手段本体３１の上方から上記ストライカ３２と共に復回動Ｂさせて、上記フード５が上記エンジンルーム１４の上端開口を閉じたとき、上記ロック手段本体３１にストライカ３２が自動的にロックされ、上記フード５の往回動Ａが阻止されるようになっている。
【００３８】
上記車体２の側面視（図１，３）で、上記フード５の後縁部２０を通りこのフード５の後部上面にほぼ直交する仮想線３５を設定したとき、上記付勢手段９により上昇する上記フード５の後縁部２０が、上記仮想線３５よりも後側に位置するよう上記フード５が後方移動させられることとされている（図１，３中二点鎖線）。
【００３９】
より具体的に説明すると、上記フード５の後部の各側部の下方域で前後方向に延びその前部側が後上方に向かって往、復回動Ｃ，Ｄ可能となるよう後端部が後枢支軸３７により車体本体４側であるアッパヒンジ２７に枢支され、前端部が前枢支軸３８により上記フード５の後部に枢支される回動アーム３９が設けられている。
【００４０】
上記フード５の後部が上記付勢手段９の付勢力により上方移動するとき、上記フード５の後部と上記回動アーム３９とが連動して、この回動アーム３９の後上方への往回動Ｃに伴い上記フード５の後縁部２０が上記仮想線３５の後側に向かって移動させられるようになっている。
【００４１】
上記付勢手段９は、上記車体２の側面視（図３）で、上記回動アーム３９に交差し、その交差部でこの回動アーム３９に枢支される他の回動アーム４０を備えている。この他の回動アーム４０の下、上端部は上記車体本体４側であるアッパヒンジ２７とフード５の後部側とに対し、それぞれ長孔４１により前後に移動可能となるよう枢支されている。上記回動アーム３９と他の回動アーム４０とは、その長手方向の各部が上下方向で互いに接近させられて、コンパクトに配置されている。
【００４２】
また、上記付勢手段９は、上記他の回動アーム４０の下端部を上記車体本体４側に対し後方移動させ、これにより、上記フード５の後部を上方移動させるアクチュエータ４２を備えている。このアクチュエータ４２はシリンダ構造とされ、上記検出センサー８の検出信号に基づく火薬の爆発により上記アクチュエータ４２を瞬間的に伸長作動させ、これに連動して上記他の回動アーム４０の下端部が後方移動させられると共に、回動アーム３９が往回動Ｃさせられて、上記したようにフード５の後部が上方移動させられるようになっている（図３中二点鎖線）。
【００４３】
上記したように、フード５の後部の上方移動に伴いこのフード５の後縁部２０が上記仮想線３５の後側に向かうようフード５が後方移動するとき、上記ロック手段７は、上記フード５の前端部のロック状態を保持したままで、上記フード５の後方移動を許容することとされている。
【００４４】
より具体的には、上記ストライカ３２は、上記フード５の前端部の下面に突設される基部材４４と、この基部材４４の突出端部から前方に突出して上記ロック手段本体３１に対し前後に摺動可能となるようロックされるストライカ本体４５とを備えている。また、上記ロック手段７は、上記基部材４４の突出端部から後方に突出する断面が円形の軸形状の被係合体４６と、この被係合体４６の後方近傍に配置されて上記車体本体４に支持され上記被係合体４６の突出端部に対向する円形の係合孔４７を有する係合体４８とを備えている。
【００４５】
そして、上記したようにフード５が後方移動するときには、上記ロック手段本体３１に対しストライカ本体４５が後方に摺動して、上記ロック手段７は上記フード５の後方移動を許容する。このフード５が更に後方移動して、上記ロック手段本体３１からストライカ本体４５が離脱するときには、この離脱の直前で、上記被係合体４６が係合孔４７に嵌入されて係合体４８に係合可能とされている（図３中二点鎖線）。これにより、上記フード５が後方移動した場合でも、上記ロック手段７によるロック状態が保持され、よって、自動車１の衝突時に上記フード５の前部側が無意図的に往回動Ａすることは防止される。
【００４６】
上記構成によれば、車体２の側面視で、上記フード５の後縁部２０を通りこのフード５の後部上面にほぼ直交する仮想線３５を設定したとき、上記付勢手段９により上昇する上記フード５の後縁部２０が上記仮想線３５よりも後側に位置するようにしてある。
【００４７】
このため、自動車１が被衝突物体に対しその走行中に衝突したときには、その衝撃力を検出した検出センサー８の検出信号に基づき、上記付勢手段９のアクチュエータ４２が作動して上記フード５の後部が上方移動させられ、かつ、このフード５の後縁部２０が上記仮想線３５の後側にまで後方移動させられる（図１，３中二点鎖線）。
【００４８】
よって、一般に、上記フード５の後縁部２０の後側には大きい強度と剛性とを有するフロントウィンドガラス１３の前下縁部やフロントカウル１６が配置されているが、自動車１の衝突時には、上記したようにフード５の後縁部２０が上方移動かつ後方移動して、このフード５の後部が上記フロントウィンドガラス１３の前下縁部とフロントカウル１６との少なくとも一部をその上方から覆うこととなる。このため、自動車１の衝突後に被衝突物体が、上記フロントウィンドガラス１３の前下縁部やフロントカウル１６に二次衝突しようとするときには、これに先立って、被衝突物体が上記フード５の後部に衝突しがちとなり（図１，３中矢印Ｅ）、しかも、このフード５の後部が上方移動させられた分、このフード５の後部が上記二次衝突の衝撃力により十分に塑性変形し、もって、車体２から被衝突物体に与えられる衝撃力がより確実に緩和される。
【００４９】
また、前記したように、前後方向に延びその前部側が後上方に向かって往回動Ｃ可能となるよう後端部が上記車体本体４側に枢支され前端部が上記フード５の後部に枢支される回動アーム３９を設け、上記フード５の後部が上方移動するとき、このフード５の後部と上記回動アーム３９とが連動してこの回動アーム３９の後上方への往回動Ｃに伴い上記フード５の後縁部２０が上記仮想線３５の後側に向かうようにしてある。
【００５０】
このため、自動車１の衝突時に、上記フード５の後部が上方移動するとき、上記回動アーム３９によって上記フード５の後縁部２０がより確実に上記仮想線３５の後側にまで移動させられる。
【００５１】
よって、被衝突物体が上記フロントウィンドガラス１３の前下縁部やフロントカウル１６に二次衝突しようとするときには、これに先立って更に確実に上記フード５の後部に被衝突物体が衝突しがちとなり、車体２から被衝突物体に与えられる衝撃力が更に確実に緩和される。
【００５２】
また、前記したように、フード５の往回動Ａを阻止するようこのフード５の前端部を上記車体本体４に解除可能にロックするロック手段７を備えた自動車において、上記ロック手段７が、上記ロック状態を保持したままで、上記フード５の後方移動を許容するようにしてある。
【００５３】
このため、上記したように自動車１の衝突時に、フード５の後縁部２０が上方移動かつ後方移動するとき、このフード５の後方移動が上記ロック手段７により阻害されるということが防止されて、上記フード５の後方移動が迅速に達成され、このフード５の後部により上記フロントウィンドガラス１３の前下縁部やフロントカウル１６が覆われる。しかも、上記したようにフード５が後方移動してもロック状態は保持されるため、上記フード５の前部側が無意図的に往回動Ａするということが防止されて、上記車体本体４の前部が上記フード５により覆われた状態が保持される。
【００５４】
よって、自動車１の衝突後に被衝突物体が、上記フロントウィンドガラス１３の前下縁部やフロントカウル１６に二次衝突しようとするときには、これに先立って、より確実に被衝突物体が上記フード５の後部に衝突しがちとなり（図１，３中矢印Ｅ）、車体２から被衝突物体に与えられる衝撃力がより確実に緩和される。
【００５５】
なお、以上は図示の例によるが、上記枢支手段６とは別体に付勢手段９を設けてもよい。
【００５６】
以下の図４，５は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、この実施例における各部分の構成を、本発明の目的、作用効果に照らして種々組み合せてもよい。
【実施例２】
【００５７】
本発明をより詳細に説明するために、その実施例２を添付の図に従って説明する。
【００５８】
図４，５において、車体２の側面視（図４）で、上記仮想線３５に対し傾斜する傾斜方向Ｆに沿い後上方に向かって移動可能となるよう上記車体本体４側に支持される可動体５０が設けられている。この可動体５０に上記フード５の後部が連結され、上記付勢手段９は上記可動体５０を上記傾斜方向Ｆの後上方に付勢することとされている。この場合、上記可動体５０は上記ロアヒンジ２６により形成されて、構成の簡素化が図られている。
【００５９】
上記付勢手段９のアクチュエータ４２の作動により、上記可動体５０を介して上記フード５の後部が上方移動するとき、このフード５の後部と上記可動体５０とが連動してこの可動体５０の上記傾斜方向Ｆの後上方への移動に伴い上記フード５の後縁部２０が上記仮想線３５の後側に向かって移動させられる。
【００６０】
上記の場合、可動体５０は、上記傾斜方向Ｆに長く延びる板材で構成され、上記傾斜方向Ｆにおける中途部がボルトである締結具５１により上記車体本体４に固定されている。上記可動体５０には、上記締結具５１から下端に至るまでスリット形状の脆弱部５２が形成されている。このため、上記したように付勢手段９のアクチュエータ４２の作動により、上記可動体５０が傾斜方向Ｆの後上方に向かって移動するとき、上記スリットの各内面が左右に分離されて上記締結具５１を円滑に摺動し、これにより、上記可動体５０は円滑に後上方に移動可能とされる。
【００６１】
上記構成によれば、自動車１の衝突時に、上記フード５の後部が上方移動するとき、上記可動体５０によって上記フード５の後縁部２０がより確実に上記仮想線３５の後側にまで移動させられる。
【００６２】
よって、被衝突物体が上記フロントウィンドガラス１３の前下縁部やフロントカウル１６に二次衝突しようとするときには、これに先立って更に確実に上記フード５の後部に被衝突物体が衝突しがちとなり、車体２から被衝突物体に与えられる衝撃力が更に確実に緩和される。
【００６３】
なお、以上は図示の例によるが、上記脆弱部５２は、スリットを破線状に列設したものでもよい。
【図面の簡単な説明】
【００６４】
【図１】実施例１を示し、図２の１‐１線矢視側面断面図である。
【図２】実施例１を示し、自動車の斜視図である。
【図３】実施例１を示し、図２の３‐３線矢視側面断面図である。
【図４】実施例２を示し、図３に相当する図である。
【図５】実施例２を示し、図４の５‐５線矢視図である。
【符号の説明】
【００６５】
１    自動車
２    車体
３    車輪
４    車体本体
５    フード
６    枢支手段
７    ロック手段
８    検出センサー
９    付勢手段
１２  車室
１３  フロントウィンドガラス
１４  エンジンルーム
１６  フロントカウル
２０  後縁部
３１  ロック手段本体
３２  ストライカ
３５  仮想線
３９  回動アーム
５０  可動体
Ａ    往回動
Ｂ    復回動
Ｃ    往回動
Ｄ    復回動
Ｆ    傾斜方向
【図１】
2005162069.tif 000003
【図２】
2005162069.tif 000004
【図３】
2005162069.tif 000005
【図４】
2005162069.tif 000006
【図５】
2005162069.tif 000007